(57)【特許請求の範囲】
【請求項１】
１本のフレームに、これを一辺とする２つの同形の揺動変形し得る平行四辺リンクを左右対称に設け、前記フレームと平行な一方の前記平行四辺リンクの可動平行辺部材に雌ネジが刻設貫通されたナット部材を固定し、他方の可動平行辺部材にバネ受け部材を固定し、ネジ棒を前記バネ受け部材に貫通させさらに前記ナット部材にその一端側を螺合させ、前記ネジ棒の他端側にハンドルを設け、このハンドルと前記バネ受け部材の間にコイルバネを縮設し、前記可動平行辺部材に電線を把持する把持部をそれぞれに設け、縮設した前記コイルバネの弾力で前記把持部で把持された前記電線の端部を互いに突き合わせ方向に弾性付勢するように構成したことを特徴とする電線の溶融接続に用いる治具。
【請求項２】
請求項１記載の電線の溶融接続に用いる治具に、前記フレームが下側となるように前記可動平行辺部材に懸垂用フックをそれぞれに設け、張設されたワイヤロープに前記懸垂用フックで前記治具を垂下させ、端部が融着ジョイントに配設された電線を前記融着ジョイントの両側で前記把持部でそれぞれ把持させ、前記ハンドルを回動させて前記ネジ棒を前記バネ受け部材に対して相対移動させて前記コイルバネを圧縮し、前記融着ジョイント内で溶接材が溶融したときに前記コイルバネの弾力で前記電線を突き合わせ方向に移動させて前記電線の端部を溶融接続することを特徴とした電線の溶融接続方法。
【請求項３】
電線を把持する把持部材に蝶番とアームにより前記電線の軸心方向と直交する面内でのみ移動自在に丸鋸切断機を配設し、溶融接続すべき電線を前記把持部材で把持して前記丸鋸切断機で前記電線の端部を軸方向に対して直交して切断し、この直交して切断された電線を請求項２記載の方法により前記電線の端部を溶融接続することを特徴とした電線の溶融接続方法。
【発明の詳細な説明】
【０００１】
【発明の属する技術分野】
本発明は、鉄塔等に張架されている電線の端部を溶融により接続するのに適した電線の溶融接続に用いる治具および該治具を用いた電線の溶融接続方法に関するものである。
【０００２】
【従来の技術】
アルミ電線の端部を溶融して金属的に接続する技術は、特開平６−２６７６３３号公報および特開平６−３１０２４９号公報により提案されている。該技術は、融着ジョイント内のテルミット反応により電線の端部および溶接材を溶融し、さらに電線を突き合わせ方向に移動させて電線の端部を接続するものである。
【０００３】
【発明が解決しようとする課題】
上記技術により金属的に接続された電線は、電気的接続特性が経年劣化しない点で優れている。ところで、鉄塔等に張架された電線を上記溶融接続方法により接続するためには、高所で不安定な作業でもあり、作業の安全および確実性を得るためには、治具等が軽量でしかも操作性の良いものでなければならない。しかしながら、十分に満足できる治具等が提供されていない状況にあった。
【０００４】
本発明は、かかる事情に鑑みてなされたもので、軽量でしかも操作性に優れた電線の溶融接続に用いる治具を提供することを目的とする。また、該治具を用いた電線の溶融接続方法を提供することを目的とする。
【０００５】
【課題を解決するための手段】
かかる目的を達成するために、本発明の電線の溶融接続に用いる治具は、１本のフレームに、これを一辺とする２つの同形の揺動変形し得る平行四辺リンクを左右対称に設け、前記フレームと平行な一方の前記平行四辺リンクの可動平行辺部材に雌ネジが刻設貫通されたナット部材を固定し、他方の可動平行辺部材にバネ受け部材を固定し、ネジ棒を前記バネ受け部材に貫通させさらに前記ナット部材にその一端側を螺合させ、前記ネジ棒の他端側にハンドルを設け、このハンドルと前記バネ受け部材の間にコイルバネを縮設し、前記可動平行辺部材に電線を把持する把持部をそれぞれに設け、縮設した前記コイルバネの弾力で前記把持部で把持された前記電線の端部を互いに突き合わせ方向に弾性付勢するように構成されている。
【０００６】
そして、本発明の電線の溶融接続方法は、前記フレームが下側となるように前記可動平行辺部材に懸垂用フックをそれぞれに設け、張設されたワイヤロープに前記懸垂用フックで前記治具を垂下させ、端部が融着ジョイントに配設された電線を前記融着ジョイントの両側で前記把持部でそれぞれ把持させ、前記ハンドルを回動させて前記ネジ棒を前記バネ受け部材に対して相対移動させて前記コイルバネを圧縮し、前記融着ジョイント内で溶接材が溶融したときに前記コイルバネの弾力で前記電線を突き合わせ方向に移動させて前記電線の端部を溶融接続する。
【０００７】
また、本発明の電線の溶融接続方法は、電線を把持する把持部材に蝶番とアームにより前記電線の軸心方向と直交する面内でのみ移動自在に丸鋸切断機を配設し、溶融接続すべき電線を前記把持部材で把持して前記丸鋸切断機で前記電線の端部を軸方向に対して直交して切断し、この直交して切断された電線を請求項２記載の方法により前記電線の端部を溶融接続しても良い。
【０００８】
【発明の実施の形態】
以下、本発明の実施例を図１ないし図３を参照して説明する。図１は、本発明の電線の溶融接続に用いる治具の一実施例であって、（ａ）は平面図、（ｂ）は側面図である。図２は、溶接材が溶融して電線が突き合わせ方向に移動するときに、移動量を規制するストッパであり、（ａ）は平面図、（ｂ）は側面図である。図３は、把持部材に蝶番とアームにより配設された丸鋸切断機の外観斜視図である。
【０００９】
まず、図１により、本発明の電線の溶融接続に用いられる治具につき説明する。１本のフレーム１０に、これを一辺とする２つの同形の平行四辺リンクが相互に左右対称に配設される。１２，１２はフレーム１０と平行な可動平行辺部材であり、１４，１４，１４，１４は、フレーム１０と可動平行辺部材１２，１２とを接続するアームである。なお、フレーム１０とアーム１４，１４，１４，１４を回動自在に連結する回動軸は、一直線上に配設されている。
【００１０】
そして、一方の可動平行辺部材１２のフレーム１０側に、雌ネジが刻設貫通されたナット部材１６が固定される。このナット部材１６を固定する固定部材内には、リミットスイッチ１８が組み込まれている。また、他方の可動平行辺部材１２のフレーム１０側に、バネ受け部材２０が固定される。このバネ受け部材２０は、ナット部材１６側の端部に挟搾部を有する円筒状であり、その挟搾部に軸受（図示せず）が設けられている。
【００１１】
さらに、ネジ棒２２がバネ受け部材２０に貫通され、さらにナット部材１６にその一端部が螺合される。ナット部材１６を貫通突出したネジ棒２２の先端には、ナット部材１６から抜けないように抜け止め部材２４が固定される。また、ネジ棒２２の他端側にはコイルバネ２６が嵌挿され、コイルバネ２６の一端側はバネ受け部材２０の円筒状内に挿入される。そして、ネジ棒２２の他端にはネジ棒２２に対して回動自在のバネ座２８が嵌挿され、さらにラチエットハンドル３０が順次に固定される。なお、ネジ棒２２には、ナット部材１６とバネ受け部材２０の間に、リミットスイッチ座３２が設けられている。
【００１２】
そしてまた、可動平行辺部材１２，１２のフレーム１０側と反対側に、それぞれ把持部３４，３４が固定される。また、可動平行辺部材１２，１２に懸垂用フック３６，３６が固定される。この懸垂用フック３６，３６は、先端の輪にワイヤロープ３８が挿通され、このワイヤロープ３８が張設されることで、フレーム１０を下側にして本発明の治具が垂下される。
【００１３】
なお、一方の可動平行辺部材１２には左右の傾きを指示すべく、ビス４０により揺動自在に重り４２が設けられる。この重り４２の上辺は、１５０度のＶ字状に形成されている。また、アーム１４，１４，１４，１４は、図１（ｂ）に示すごとく、側方から見て略Ｕ字状であり、Ｕ字状の開口両端側が可動平行辺部材１２，１２に回動自在に連結され、Ｕ字状の下部がフレーム１０に回動自在に連結されている。そこで、ネジ棒２２等は、アーム１４，１４，１４，１４のＵ字状の中に配設されている。しかも、アーム１４，１４，１４，１４は、図１（ａ）のＡ−Ａ断面でＵ字状に形成されて軽量化が図られている。
【００１４】
かかる構成において、融着ジョイント５０に端部を溶融接続すべき電線５２，５２が配設され、さらに電線５２，５２に突き合わせ方向の移動を規制するストッパ５４，５４が配設される。そして、融着ジョイント５０に組み付けられた電線５２，５２が、把持部３４，３４で挟持される。融着ジョイント５０を２つの把持部３４，３４の中央に位置させることは勿論である。さらに、ラチエットハンドル３０を回転させて、ネジ棒２２を図１（ａ）で右側に移動させ、バネ受け部材２０とバネ座２８の間の距離を短くして、コイルバネ２６を強く圧縮させる。また、ネジ棒２２が右側に移動することで、リミットスイッチ１８から突出する作動突起にリミットスイッチ座３２が当接して、リミットスイッチ１８を閉成させる。このリミットスイッチ１８の閉成により、融着ジョイント５０にテルミット反応を起こさせる起動スイッチ（図示せず）が作動し得る状態となる。例えば、テルミット反応の点火具と起動スイッチとリミットスイッチ１８および電源が直列接続して回路構成されている。
【００１５】
そして、ストッパ５４は、一例として図２に示すごときものであり、クランプハンドル５４ａに設けた貫通孔にドライバー等の手工具を挿入して適宜に回動させて、電線５２を把持部５４ｂで把持させる。そして、把持固定後は、クランプハンドル５４ａからドライバー等を抜き取り、ストッパ５４の把持部５４ｂより融着ジョイント５０側に突出するものがない状態とされる。
【００１６】
上記治具にあっては、アーム１４，１４，１４，１４等の軽量化により全体としての重量が軽減され、それだけ操作がし易い。しかも、懸垂用フック３６，３６で張設されたワイヤロープ３８に垂下させることで、治具の保持が容易である。そして、治具は、ほぼ左右で対称に形成されており、左右の重量バランスを得易く、一方の側が下がる等の傾向がない。そこで、融着ジョイント５０を水平に維持し易く、しかも電線５２，５２の突き合わせ方向の移動が左右で均等に行なえる。また、電線５２，５２の突き合わせ方向への移動を、平行四辺リンクの四辺形を変形させて行なうものであり、その変形はフレーム１０とアーム１４，１４，１４，１４および可動平行辺部材１２，１２の軸を中心とした揺動であり、揺動に要する摺動距離および摺動面積が小さく、それだけ摺動部を保護し易いとともに塵芥等の異物の侵入により動きが阻害されることがない。さらに、治具の傾斜が、重り４２の傾きから溶融接続が適正にできる範囲であるか否かを容易に判別できる。そしてさらに、電線５２，５２を突き合わせ方向に移動させるコイルバネ２６が、可動平行辺部材１２に対して融着ジョイント５０の反対側にあり、融着ジョイント５０から離れて配設されており、融着ジョイント５０から発する熱による加熱が阻止される。そこで、コイルバネ２６の弾性が鈍るようなことがなく、耐久性に優れている。
【００１７】
ところで、融着ジョイント５０で溶融接続される電線５２，５２の端部は、電線５２，５２の軸心方向に対して直交する面で切断されていなければならない。そこで、電線を直交する面で切断する装置の一例を図３に示す。図３において、電線５２が把持部材６０で把持固定される。この把持部材６０に蝶番６２，６２とアーム６４，６４を介して丸鋸切断機６６が連結されている。この丸鋸切断機６６は、電線５２の軸心方向と直交する面でのみ丸鋸６６ａを移動させ得る。したがって、把持部材６０で把持された電線５２が確実に直交する面で切断される。
【００１８】
そこで、まず上記丸鋸切断機６６で電線５２，５２の端部を軸心方向と直交した面で切断し、この直交して端部が切断された電線５２，５２を融着ジョイント５０に配設し、またストッパ５４，５４を配設する。さらに、図１に示す治具に配設して溶融接続を行なうことで、より信頼性の高い接続を行なうことができる。
【００１９】
なお、図１に示す実施例にあっては、治具全体の軽量化を図るべく、各構成部材がアルミ合金等で形成されているが、他の軽量合金で形成しても良いことは勿論である。また、上記実施例では、懸垂用フック３６，３６は、先端に輪が設けられているが、一部開口の鉤状部材が設けられていても良い。しかも、懸垂用フック３６，３６にワイヤロープ３８を挿通することなしに、上方にある電線等からロープ等を用いて懸垂用フック３６，３６を吊り下げるようにしても良く、治具がほぼ水平に保持できれば良い。また、ラチエットハンドル３０は、ネジ棒２２を回動し易くするものであり、単なるハンドルであっても良い。
【００２０】
【発明の効果】
以上説明したように、本発明の電線の溶融接続に用いる治具および該治具を用いた電線の溶融接続方法は構成されているので、以下のごとき格別な効果を奏する。
【００２１】
請求項１記載の本発明の溶融接続に用いる治具にあっては、ほぼ左右が対称に形成されており、治具を水平に維持し易く、しかも電線の端部の突き合わせ方向の移動が左右で均等でしかも平行状態で行ない得る。また、電線の突き合わせ方向への移動は、平行四辺リンクの四辺形を揺動変形させて行ない、その回動軸を中心とする部材の揺動によるものである。そこで、部材の揺動に必要とする摺動距離および摺動面積は小さく、それだけ塵芥等の異物により動きが阻害されにくい。
【００２２】
そして、請求項２記載の本発明の電線の溶融接続方法にあっては、垂下されてほぼ水平に保持される請求項１記載の治具に、電線が配設された融着ジョイントを配設して電線の溶融接続を行なうので、操作性が良いとともに溶融接続が確実になし得る。
【００２３】
また、請求項３記載の本発明の電線の溶融接続方法にあっては、融着ジョイントに配設される前の電線の端部を、丸鋸切断機で電線の軸心方向と直交する面で切断し、これらの電線を融着ジョイントに配設して請求項２記載の方法で溶融接続するので、より一層確実な溶融接続がなされる。
【図面の簡単な説明】
【図１】本発明の電線の溶融接続に用いる治具の一実施例であって、（ａ）は平面図、（ｂ）は側面図である。
【図２】溶接材が溶融して電線が突き合わせ方向に移動するときに、移動量を規制するストッパであり、（ａ）は平面図、（ｂ）は側面図である。
【図３】把持部材に蝶番とアームにより配設された丸鋸切断機の外観斜視図である。
【符号の説明】
１０    フレーム
１２    可動平行辺部材
１４    アーム
１６    ナット部材
２０    バネ受け部材
２２    ネジ棒
２６    コイルバネ
３０    ラチエットハンドル
３４    把持部
３６    懸垂用フック
５０    融着ジョイント
５２    電線
【図１】
0003571136.tif 000002
【図２】
0003571136.tif 000003
【図３】
0003571136.tif 000004